(57)【要約】      （修正有）【課題】接続端子の短絡不良の検出を簡単な構成で行うことができ、しかも短絡不良の復帰を簡単に行うこと。【解決手段】マザーボード６上の接続端子１２の列に対してＦＰＣ８の接続端子１３の列が斜め差しされると、ＦＰＣ８の第１の接地接続端子１３Ａが第１の検出用接続端子１２Ａと隣接する第１の接地接続端子１２Ｂとを跨いでこれらの間を導通状態とし、第１の検出用接続端子１２Ａは接地状態となる。これにより、シャットダウンピンにＬｏｗ信号が入力されたこととなり、ＤＣ／ＤＣコンバータの動作が停止し、第１の電源供給用接続端子からの電源供給は停止され、第１の電源供給用接続端子と隣接する信号端子や接地端子などとの接触による短絡不良が防止される。【選択図】図６
2008112642.tif 000002
【特許請求の範囲】
【請求項１】
外部に電源を供給するための第１の電源供給用接続端子、接地状態を検出することが可能な第１の検出用接続端子及び前記第１の検出用接続端子と隣接し、接地された第１の接地接続端子を含む複数の第１の接続端子が少なくとも１列に配列された第１の基板と、
複数の第２の接続端子がそれぞれの前記第１の接続端子に対応して配列された第２の基板と、
それぞれの前記第１の接続端子とそれぞれの前記第２の接続端子とを接続するための接続部と、
前記第１の検出用接続端子により接地状態が検出されたとき、前記第１の電源供給用接続端子より外部への電源の供給を停止させる電源供給停止部と
を具備することを特徴とする電子機器。
【請求項２】
請求項１に記載の電子機器において、
前記第１の基板は、前記外部に供給される電源の電圧を所定の電圧に変換する変換器と、前記電源供給停止部とを有することを特徴とする電子機器。
【請求項３】
請求項２に記載の電子機器において、
前記変圧器は、所定の信号を入力すると、当該変換器の動作を停止する入力端子を有し、
前記電源供給停止部は、前記第１の検出用接続端子と前記入力端子とを接続する線路であることを特徴とする電子機器。
【請求項４】
請求項３に記載の電子機器において、
前記電源供給停止部は、前記線路に介挿され、前記第１の検出用接続端子が接地状態になったときに前記第１の検出用接続端子に前記所定の信号を出力する信号出力部を有することを特徴とする電子機器。
【請求項５】
請求項２に記載の電子機器において、
前記変換器から出力される電源又は前記変換器に入力される電源を切断可能なスイッチを有し、
前記電源供給停止部は、前記第１の検出用接続端子が接地状態になったときに前記スイッチにより電源を切断することを特徴とする電子機器。
【請求項６】
請求項１に記載の電子機器において、
前記電源供給停止部は、電源供給系に異常があったときに電源の供給を停止させる機能を利用していることを特徴とする電子機器。
【請求項７】
第１の基板に、外部に電源を供給するための第１の電源供給用接続端子、接地状態を検出することが可能な第１の検出用接続端子及び前記第１の検出用接続端子と隣接し、接地された第１の接地接続端子を含む複数の第１の接続端子を配置し、
第２の基板に、それぞれの前記第１の接続端子に対応して複数の第２の接続端子を配列し、
前記第１の検出用接続端子により接地状態が検出されたとき、前記第１の電源供給用接続端子より外部への電源の供給を停止する
ことを特徴とする短絡検出・電源供給停止方法。
【請求項８】
接地状態を検出することが可能な第１の検出用接続端子及び前記第１の検出用接続端子と隣接し、接地された第１の接地接続端子を含む複数の第１の接続端子が少なくとも１列に配列された第１の基板と、
複数の第２の接続端子がそれぞれの前記第１の接続端子に対応して配列された第２の基板と、
それぞれの前記第１の接続端子とそれぞれの前記第２の接続端子とを接続するための接続部と
を具備することを特徴とする実装構造体。
【請求項９】
請求項８に記載の実装構造体において、
前記第１の検出用接続端子及び前記第１の接地接続端子は、１列に配列された前記複数の第１の接続端子のうちほぼ中央の位置に配置されていることを特徴とする実装構造体。
【請求項１０】
請求項８に記載の実装構造体において、
前記第１及び第２の接続端子は、千鳥状に配列されていることを特徴とする実装構造体。
【請求項１１】
請求項８に記載の実装構造体において、
前記第２の基板は、可撓性を有することを特徴とする実装構造体。
【請求項１２】
請求項８に記載の実装構造体において、
前記接続部は、前記第１の基板に対して前記第２の基板が平行に挿入されてそれぞれの前記第１の接続端子とそれぞれの前記第２の接続端子とが接続される構造を有し、
前記第１及び第２の接続端子は、それぞれ２列に配列されていることを特徴とする実装構造体。
【請求項１３】
請求項１２に記載の実装構造体において、
前記第１の検出用接続端子は、前記２列に配列された第１の接続端子のうち前記第２の基板側の列に配置され、
前記２列に配列された第１の接続端子のうち前記第２の基板側とは反対側の列で、前記第１の検出用接続端子に対応する位置には、前記第１の接地接続端子が配置されていることを特徴とする実装構造体。
【発明の詳細な説明】
【技術分野】
【０００１】
本発明は、例えばパーソナルコンピュータのマザーボードとＵＳＢ（Ｕｎｉｖｅｒｓａｌ  Ｓｅｒｉａｌ  Ｂｕｓ）などの外部インターフェース用の基板とを接続するためのＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）とこれらマザーボードや外部インターフェース用の基板との接続部を含む電子機器、短絡検出・電源供給停止方法及び実装構造体に関する。
【背景技術】
【０００２】
一般に、パーソナルコンピュータのマザーボードとＵＳＢなどの外部インターフェース用の基板とは、ＦＰＣやＦＦＣ（注：本明細書中では、このケーブルを基板の範疇に含めている。）により接続され、信号がやりとりされる。
【０００３】
上記のような外部インターフェース用の基板には、電源が必要の基板もあり、その場合には、マザーボードから電源を供給される。マザーボードは、ＤＣ／ＤＣコンバータを搭載し、例えばノート型のパーソナルコンピュータでは外部からの直流電源をマザーボード上のＤＣ／ＤＣコンバータにより所望の電圧に変換し、ＦＰＣやＦＦＣを介して外部インターフェース用の基板に供給する。
【０００４】
例えばマザーボードとＦＰＣとは、マザーボード上に１列乃至２列に配列された複数の接続端子とＦＰＣ端部に１列乃至２列に配列された複数の接続端子との間をそれぞれ接続する。これらの接続部の構成としては、例えばマザーボードの接続端子の列と直交する方向に対してＦＰＣ端部の接続端子を平行するように差し込み、これらマザーボードの接続端子とＦＰＣ端部の接続端子とをＦＰＣ端部の接続端子の背面から挟み込む機構によってマザーボードの接続端子とＦＰＣ端部の接続端子とを固定している。
【０００５】
しかし、マザーボードの接続端子に列に対してＦＰＣ端部の接続端子を差し込むときに、マザーボードの接続端子に列と直交する方向ではなく誤って斜めの方向からマザーボードの接続端子に対してＦＰＣ端部の接続端子を差し込んだ場合に、或いは差し込み後に位置ずれを生じてマザーボードの接続端子の列に対してＦＰＣ端部の接続端子の列が斜めに位置するようになった場合に、接続端子が本来の接続端子だけでなく隣接する接続端子と短絡する可能性がある。
【０００６】
特に、マザーボードから外部インターフェース用の基板に対してＦＰＣやＦＦＣを介して電源を供給する場合において、電源供給用の接続端子が上記のような短絡を生じると、マザーボードやＦＰＣなどの配線、その他これらに搭載されたチップ部品などの焼損や破損などが発生する。
【０００７】
また、マザーボードやＦＰＣなどの接続端子が２列に配列されている場合に、マザーボードの接続端子に対してＦＰＣ端部の接続端子の差し込みが不十分であると、或いは差し込み後に位置ずれを生じて、マザーボードのＦＰＣに近い側の列の接続端子にＦＰＣ端部の先端側の列の接続端子が接触して同様の短絡不良を生じる可能性がある。
【０００８】
そこで、例えば特許文献１に記載された技術を適用して、接続端子の一方にヒューズ機能を持たせ、短絡不良が発生した場合には接続端子を溶断させて電流を流さないようにすることが考えられる。
【特許文献１】特開２００２−１５０９１８号公報（段落[００２９]、図１）
【発明の開示】
【発明が解決しようとする課題】
【０００９】
しかしながら、例えば特許文献１に記載された技術では、ヒューズ機能を有する部品を必要とするばかりか、短絡が発生した後にヒューズ機能の部品の交換が可能な状態まで装置を分解し、ヒューズ機能の部品の交換を必要とすることから、短絡不良の復帰に手間と時間を要する。
【００１０】
以上のような事情に鑑み、本発明の目的は、接続端子の短絡不良の検出を簡単な構成で行うことができ、しかも短絡不良の復帰を簡単に行うことができる電子機器及び短絡検出・電源供給停止方法を提供することにある。
【００１１】
本発明の目的は、接続端子の短絡不良の検出を簡単な構成で行うことができる実装構造体を提供することにある。
【課題を解決するための手段】
【００１２】
上記の課題を解決するために、本発明の主たる観点に係る実装構造体は、外部に電源を供給するための第１の電源供給用接続端子、接地状態を検出することが可能な第１の検出用接続端子及び前記第１の検出用接続端子と隣接し、接地された第１の接地接続端子を含む複数の第１の接続端子が少なくとも１列に配列された第１の基板と、複数の第２の接続端子がそれぞれの前記第１の接続端子に対応して配列された第２の基板と、それぞれの前記第１の接続端子とそれぞれの前記第２の接続端子とを接続するための接続部と、前記第１の検出用接続端子により接地状態が検出されたとき、前記第１の電源供給用接続端子より外部への電源の供給を停止させる電源供給停止部とを具備する。
【００１３】
本発明では、複数の第１の接続端子に、接地状態を検出することが可能な第１の検出用接続端子及びこの第１の検出用接続端子と隣接し、接地された第１の接地接続端子を含ませたことで、第１の接続端子と第２の接続端子との間でいわゆる斜め差しが生じた場合に、第２の接続端子が第１の検出用接続端子と第１の接地接続端子とを導通状態とする。これにより、第１の検出用接続端子により接地状態が検出され、第１の電源供給用接続端子より外部への電源の供給が停止される。従って、本発明によれば、接続端子の短絡不良の検出を簡単な構成で行うことができ、しかも短絡不良の復帰を簡単に行うことができる。
【００１４】
本発明では、前記第１の基板が、前記外部に供給される電源の電圧を所定の電圧に変換する変換器と、前記電源供給停止部とを有する構成としてもよい。
【００１５】
本発明では、第１の基板に電圧変換器及び電源供給停止部を設けたことから、配線等も単純になり、接続端子の短絡不良の検出及び復帰をより簡単な構成で行うことができる。
【００１６】
本発明では、前記変圧器が、所定の信号を入力すると、当該変換器の動作を停止する入力端子を有し、前記電源供給停止部が、前記第１の検出用接続端子と前記入力端子とを接続する線路である構成としてもよい。
【００１７】
本発明では、電源供給停止部を例えば単に第１の検出用接続端子と入力端子とを接続する線路とすることができるので、接続端子の短絡不良の検出及び復帰をより簡単な構成で行うことができる。
【００１８】
本発明では、前記電源供給停止部が、前記線路に介挿され、前記第１の検出用接続端子が接地状態になったときに前記第１の検出用接続端子に前記所定の信号を出力する信号出力部を有する構成としてもよい。
【００１９】
本発明では、変圧器の構成を変えることこなく、接続端子の短絡不良の検出及び復帰をより簡単な構成で行うことができる。
【００２０】
本発明では、前記変換器から出力される電源又は前記変換器に入力される電源を切断可能なスイッチを有し、前記電源供給停止部が、前記第１の検出用接続端子が接地状態になったときに前記スイッチにより電源を切断する構成としてもよい。
【００２１】
本発明では、変換器から出力される電源又は変換器に入力される電源を切断可能なスイッチの利用して短絡不良に応じた電源の供給の切断を行っているので、接続端子の短絡不良の検出及び復帰をより簡単な構成で行うことができる。
【００２２】
本発明では、前記電源供給停止部が電源供給系に異常があったときに電源の供給を停止させる機能を利用している構成としてもよい。
【００２３】
本発明では、電源の供給を停止させるための特別の構成を追加することなく、短絡不良を防止することが可能である。
【００２４】
本発明の別の観点に係る短絡検出・電源供給停止方法は、第１の基板に、外部に電源を供給するための第１の電源供給用接続端子、接地状態を検出することが可能な第１の検出用接続端子及び前記第１の検出用接続端子と隣接し、接地された第１の接地接続端子を含む複数の第１の接続端子を配置し、第２の基板に、それぞれの前記第１の接続端子に対応して複数の第２の接続端子を配列し、前記第１の検出用接続端子により接地状態が検出されたとき、前記第１の電源供給用接続端子より外部への電源の供給を停止する。
【００２５】
本発明では、第１の接続端子と第２の接続端子との間でいわゆる斜め差しが生じた場合に、第２の接続端子が第１の検出用接続端子と第１の接地接続端子とを導通状態とするので、第１の検出用接続端子により接地状態が検出され、第１の電源供給用接続端子より外部への電源の供給が停止される。従って、本発明によれば、接続端子の短絡不良の検出を簡単な構成で行うことができ、しかも短絡不良の復帰を簡単に行うことができる。
【００２６】
本発明の更に別の観点に係る実装構造体は、接地状態を検出することが可能な第１の検出用接続端子及び前記第１の検出用接続端子と隣接し、接地された第１の接地接続端子を含む複数の第１の接続端子が少なくとも１列に配列された第１の基板と、複数の第２の接続端子がそれぞれの前記第１の接続端子に対応して配列された第２の基板と、それぞれの前記第１の接続端子とそれぞれの前記第２の接続端子とを接続するための接続部とを具備する。
【００２７】
本発明では、複数の第１の接続端子に、接地状態を検出することが可能な第１の検出用接続端子及びこの第１の検出用接続端子と隣接し、接地された第１の接地接続端子を含ませたことで、第１の接続端子と第２の接続端子との間でいわゆる斜め差しが生じた場合に、第２の接続端子が第１の検出用接続端子と第１の接地接続端子とを導通状態とする。これにより、第１の検出用接続端子により接地状態が検出される。従って、本発明によれば、接続端子の短絡不良の検出を簡単な構成で行うことができる。
【００２８】
本発明では、前記第１の検出用接続端子及び前記第１の接地接続端子が、１列に配列された前記複数の第１の接続端子のうちほぼ中央の位置に配置されている構成としてもよい。
【００２９】
本発明では、第１の検出用接続端子及び前記第１の接地接続端子が１列に配列された複数の第１の接続端子のうちほぼ中央の位置に配置されているので、複数の第１の接続端子の両端側での短絡不良をより確実に検出することができる。
【００３０】
本発明では、前記第１及び第２の接続端子が、千鳥状に配列されている構成としてもよい。
【００３１】
本発明では、第１及び第２の接続端子をより高密度に配線することが可能である。
【００３２】
本発明では、前記第２の基板が、可撓性を有する構成としてもよい。ＦＰＣやＦＦＣがこのような基板に該当する。
【００３３】
本発明では、前記接続部が、前記第１の基板に対して前記第２の基板が平行に挿入されてそれぞれの前記第１の接続端子とそれぞれの前記第２の接続端子とが接続される構造を有し、前記第１及び第２の接続端子は、それぞれ２列に配列されている構成としてもよい。
【００３４】
このような場合にいわゆる斜め差しや半差しによる短絡不良が発生しやすく、本発明をより効果的に適用することができる。
【００３５】
本発明では、前記第１の検出用接続端子が、前記２列に配列された第１の接続端子のうち前記第２の基板側の列に配置され、前記２列に配列された第１の接続端子のうち前記第２の基板側とは反対側の列で、前記第１の検出用接続端子に対応する位置には、前記第１の接地接続端子が配置されている構成としてもよい。
【００３６】
本発明では、いわゆる半差しによる短絡不良を簡単な構成で検出することができる。
【発明の効果】
【００３７】
本発明の電子機器及び短絡検出・電源供給停止方法によれば、接続端子の短絡不良の検出を簡単な構成で行うことができ、しかも短絡不良の復帰を簡単に行うことができる。
【００３８】
本発明の実装構造体によれば、接続端子の短絡不良の検出を簡単な構成で行うことができる。
【発明を実施するための最良の形態】
【００３９】
以下、本発明の実施の形態を図面に基づき説明する。    
図１は本発明の一実施形態に係る電子機器としてのノート型のパーソナルコンピュータの概念図である。    
図１に示すように、ノート型のパーソナルコンピュータ１は、本体２と本体２に対して開閉可能に軸着された表示部３とからその主要部が構成されている。なお、この図では理解を容易にするために本体２と表示部３とが同一平面にあるように示しているが、実際には本体２に対して表示部３が立った状態で使用され、本体２に対して表示部３が対向するように閉じた状態で持ち運び等が行われる。
【００４０】
本体２の平面には、キーボード４、タッチパット５などが配置されている。本体２の内部には、第１の基板としてのマザーボード６、第３の基板としての外部とのインターフェース（例えばＵＳＢ）用の基板７、第２の基板としてのＦＰＣ８、直流の電源の入力端子９、バッテリ１０などが配置されている。ＦＰＣ８はマザーボード６とインターフェース用の基板７との間を接続し、ＦＰＣ８を介してマザーボード６とインターフェース用の基板７との間で信号のやり取りが行われ、ＦＰＣ８を介してマザーボード６からインターフェース用の基板７に電源が供給される。    
表示部３には、液晶表示パネル１１が設けられている。
【００４１】
図２はＦＰＣ８と接続するためのマザーボード６の接続端子（第１の接続端子）の配置及びマザーボード６と接続するためのＦＰＣ８の接続端子（第２の接続端子）の配置を示した概略的平面図である。    
図２に示すように、マザーボード６上には、複数の接続端子１２の２列に設けられている。また、隣接する接続端子１２は、ＦＰＣ８側に対して凹凸状となるように、つまり千鳥状となるように配置されている。
【００４２】
これら２列に設けられた複数の接続端子１２のうち、ＦＰＣ８側の列のほぼ中央には、接地状態を検出することが可能な第１の検出用接続端子１２Ａが配置されている。また、第１の検出用接続端子１２Ａと隣接するように第１の検出用接続端子１２Ａの両側には、接地された第１の接地接続端子１２Ｂが配置されている。なお、第１の検出用接続端子１２Ａは、通常は電気的にＨｉｇｈ状態又は電気的に浮いた状態とされている。
【００４３】
これら２列に設けられた複数の接続端子１２のうち、ＦＰＣ８とは反対側の列の第１の検出用接続端子１２Ａに相対する位置には、第１の接地接続端子１２Ｂが配置され、この第１の接地接続端子１２Ｂの両側にも第１の接地接続端子１２Ｂが配置されている。つまり、第１の検出用接続端子１２Ａをコの字状に取り囲むように第１の接地接続端子１２Ｂが配置されている。
【００４４】
これら２列に設けられた複数の接続端子１２のうち、所定の位置には、ＦＰＣ８を介してインターフェース用の基板７に電源を供給するための第１の電源供給用接続端子１２Ｃが設けられている。
【００４５】
複数の接続端子１２のうち、第１の検出用接続端子１２Ａ、第１の接地接続端子１２Ｂ及び第１の電源供給用接続端子１２Ｃ以外は、例えば信号のやりとりを行うための接続端子である。
【００４６】
ＦＰＣ８の接続端子１３は、マザーボード６上の接続端子１２と相対するようにＦＰＣ８の一端部に設けられている。つまり、マザーボード６上の接続端子１２と面対称に第１の検出用接続端子１３Ａ、第１の接地接続端子１３Ｂ及び第１の電源供給用接続端子１３Ｃが配置されている。従って、第１の検出用接続端子１３Ａは、マザーボード６とは反対側の列の位置に設けられ、この第１の検出用接続端子１３Ａをコの字状に取り囲むように第１の接地接続端子１３Ｂが配置されている。ＦＰＣ８は、例えば２層構造になっており、マザーボード６側の列の接続端子は第１層の配線に接続され、マザーボード６と反対側の列の接続端子は第２層の配線に接続されている。
【００４７】
なお、図示を省略したがインターフェース用の基板７の接続端子の配置についてもマザーボード６における配置と同様であり、これに伴いＦＰＣ８の接続端子についても同様に面対称に配置されている。
【００４８】
図３はマザーボード６上の接続端子１２に対してＦＰＣ８の接続端子１３を接続するための接続部としてのコネクタの構成を示す斜視図、図４はその断面図である。
【００４９】
これらの図に示すように、コネクタ１４は、マザーボード６上に取り付けられている。接続端子１２は、このコネクタ１４の底部に設けられている。コネクタ１４の挿入口１４Ａでは、接続端子１２の列に対して平行にＦＰＣ８の一端部が挿入され、マザーボード６上のそれぞれの接続端子１２に対してＦＰＣ８のそれぞれの接続端子１３が接続される。コネクタ１４には、ロックレバー１４Ｂが設けられており、ロックレバー１４Ｂを回動させることで、ＦＰＣ８の接続端子１３面とは反対面の背面側からロックレバー１４ＢがＦＰＣ８の一端部をコネクタ１４の底部（接続端子１２側）に押圧し、接続端子１２に対して接続端子１３が接続されつつマザーボード６に対してＦＰＣ８が固定される。
【００５０】
図５はマザーボード６上における電源供給系の構成を示すブロック図である。
【００５１】
図５に示すように、マザーボード６上には、例えば電源の入力端子９から入力された１９Ｖ程度の電源電圧を５Ｖ程度の電源電圧に変換するＤＣ／ＤＣコンバータ１５、このＤＣ／ＤＣコンバータ１５の出力を３Ｖ程度の電源電圧に変換するＤＣ／ＤＣコンバータ１６、ＤＣ／ＤＣコンバータ１５の出力を１．８Ｖ程度の電源電圧に変換するＤＣ／ＤＣコンバータ１７が搭載されている。ＤＣ／ＤＣコンバータは必要に応じてこれ以上設けても勿論かまわない。
【００５２】
ＤＣ／ＤＣコンバータ１６及びＤＣ／ＤＣコンバータ１７には、Ｌｏｗ信号（接地電圧）を入力すると出力をシャットダウンする（当該コンバータの電源の出力を停止する）シャットダウンピン１６Ａ、１７Ａがそれぞれ設けられている。ＤＣ／ＤＣコンバータ１５の出力側には、切断スイッチ１８が設けられている。
【００５３】
ＤＣ／ＤＣコンバータ１５、ＤＣ／ＤＣコンバータ１６及びＤＣ／ＤＣコンバータ１７の出力側は、それぞれモニタ１９、２０、２１により正常な動作がなされているかどうかが監視されている。各モニタ１９、２０、２１は、それぞれのＤＣ／ＤＣコンバータ１５、ＤＣ／ＤＣコンバータ１６及びＤＣ／ＤＣコンバータ１７の出力の異常を検出すると、ＤＣ／ＤＣコンバータ１５、ＤＣ／ＤＣコンバータ１６及びＤＣ／ＤＣコンバータ１７から電源供給がされないようにする。
【００５４】
より具体的には、モニタ１９、２０、２１は、いずれかのＤＣ／ＤＣコンバータ１５、ＤＣ／ＤＣコンバータ１６及びＤＣ／ＤＣコンバータ１７の出力の異常を検出すると、正常時にはＨｉｇｈ信号を出力しているが、エラー信号としてＬｏｗ信号（接地電圧）を出力して切断スイッチ１８を切断状態とし、シャットダウンピン１６Ａ、１７ＡにＬｏｗ信号（接地電圧）を出力してＤＣ／ＤＣコンバータ１６、１７の動作を停止する。
【００５５】
例えば、ＤＣ／ＤＣコンバータ１７の出力は、第１の電源供給用接続端子１２Ｃに接続され、ＦＰＣ８を介してインターフェース用の基板７に供給されるようになっている。また、第１の検出用接続端子１２Ａは、線路２２を介して直接シャットダウンピン１７Ａに接続されている。
【００５６】
このように構成されたパーソナルコンピュータ１では、製造段階や使用段階でマザーボード６上の接続端子１２の列に対してＦＰＣ８の接続端子１３の列のいわゆる斜め差しや半差しによる短絡不良が発生した場合には以下の通り動作する。
【００５７】
・斜め差しによる短絡不良    
図６はマザーボード６上の接続端子１２の列に対してＦＰＣ８の接続端子１３の列が斜め差しされた状態を示している。    
図６に示すように、マザーボード６上の接続端子１２の列に対してＦＰＣ８の接続端子１３の列が斜め差しされると、ＦＰＣ８の第１の接地接続端子１３Ｂが第１の検出用接続端子１２Ａと隣接する第１の接地接続端子１２Ｂとを跨いでこれらの間を導通状態とし、第１の検出用接続端子１２Ａは接地状態となる。
【００５８】
第１の検出用接続端子１２Ａが接地状態になると、第１の検出用接続端子１２Ａが線路２２を介して直接シャットダウンピン１７Ａに接続されているので、シャットダウンピン１７ＡにＬｏｗ信号（接地電圧）が入力されたこととなり、ＤＣ／ＤＣコンバータ１７の動作が停止する。
【００５９】
これにより、ＤＣ／ＤＣコンバータ１７の出力が第１の電源供給用接続端子１２Ｃに接続され、ＦＰＣ８を介してインターフェース用の基板７に供給されるようになっているが、図６に示したように斜め差しにより第１の電源供給用接続端子１２Ｃが本来の接続端子ではなく、隣接信号端子や接地端子などに接触してもＤＣ／ＤＣコンバータ１７の動作が停止しているので、第１の電源供給用接続端子１２Ｃからの電源供給は停止され、第１の電源供給用接続端子１２Ｃと隣接する信号端子や接地端子などとの接触による短絡不良が防止される。
【００６０】
・半差しによる短絡不良    
図７はマザーボード６上の接続端子１２の列に対してＦＰＣ８の接続端子１３の列が半差しされた状態を示している。    
図７に示すように、マザーボード６上の接続端子１２の列に対してＦＰＣ８の接続端子１３の列が半差しされると、ＦＰＣ８の第１の接地接続端子１３Ｂが１列目の第１の検出用接続端子１２Ａと２列目のこれと相対する第１の接地接続端子１２Ｂとを跨いでこれらの間を導通状態とし、第１の検出用接続端子１２Ａは接地状態となる。
【００６１】
上記と同様に、第１の検出用接続端子１２Ａが接地状態になると、シャットダウンピン１７ＡにＬｏｗ信号（接地電圧）が入力されたこととなり、ＤＣ／ＤＣコンバータ１７の動作が停止する。これにより、半差しにより例えば１列目の第１の電源供給用接続端子１２Ｃが本来の接続端子ではなく、２列目の信号端子や接地端子などに接触してもＤＣ／ＤＣコンバータ１７の動作が停止しているので、第１の電源供給用接続端子１２Ｃからの電源供給は停止され、第１の電源供給用接続端子１２Ｃと信号端子や接地端子などとの接触による短絡不良が防止される。
【００６２】
ＦＰＣ８の接続端子１３とインターフェース用の基板７の接続端子との間で同様の斜め差しや半差しによる短絡不良があっても上記と同様にＤＣ／ＤＣコンバータ１７の動作が停止して短絡不良が防止される。
【００６３】
また、本実施形態では、第１の検出用接続端子が接続端子の列のほぼ中央に位置することから、接続端子の列の両側の短絡不良を検出することが可能である。すなわち、斜めざしの検出において、右斜めに刺さった場合と、左斜めに刺さった場合を検出するためには、コネクタ１４の左右両端それぞれに検出用接続端子を設ける必要があるが、コネクタ１４のほぼ中央部に第１の検出用接続端子１２Ａを設け、この第１の検出用接続端子１２Ａをコの字状に取り囲むように第１の接地接続端子１２Ｂを設けたことで、第１の検出用接続端子１２Ａ一つで、左右どちらの斜めざしも検出できる。
【００６４】
本発明は上記の実施形態に限定されず、さまざまな変形が可能であり、その変形された実施形態も本発明の範囲である。
【００６５】
例えば上記の実施形態では、第１の検出用接続端子１２Ａが線路２２を介して直接シャットダウンピン１７Ａに接続されていたが、シャットダウンピン１７ＡがＨｉｇｈ状態になったときにＤＣ／ＤＣコンバータ１７の動作をシャットダウンするような場合には、図８に示すように、線路２２上に反転回路２２Ａｓを介挿すればよい。
【００６６】
また、上記の実施形態では、ＤＣ／ＤＣコンバータ１７の動作をシャットダウンすることで短絡不良を防止していたが、図９に示すように、ＤＣ／ＤＣコンバータ１５の出力を切断する切断スイッチ１８の制御側に第１の検出用接続端子１２Ａを線路２２を介して直接或いは反転回路などを介して接続し、斜め差しや半差しによる短絡不良があった場合にＤＣ／ＤＣコンバータ１５からの出力をＤＣ／ＤＣコンバータ１７などに入力させないようにしてもよい。ＤＣ／ＤＣコンバータ１５の入力側に切断スイッチを設け、同様の動作をさせるようにしても構わない。
【００６７】
更に、上記実施形態では、インターフェース用の基板７の一例としてＵＳＢを挙げて説明したが、ＩＥＥＥ１３９４用の基板など、他の基板であっても勿論よく、第１の基板としてマザーボードを例にとり説明したが、勿論他の基板であっても構わない。
【００６８】
また更に、上記の実施形態では、シャットダウンピンや切断スイッチなどの従来からあるデバイスなどを利用して電源断を実現していたが、他のスイッチ等を利用してもよく、更には専用のスイッチ等を設けても勿論構わない。接続端子の列も２列ではなく、それ以上でもよく、１列でもよく、或いは例えば１列と２列が混在しているようなものであってもよい。
【００６９】
また、検出後の信号をＣＰＵ等に入力してソフト的な制御で電源を切るような構成としてもよい。具体的には、例えば、ＣＰＵに斜めざし検出の信号線を接続して、その信号の遷移をモニターして斜めざしを検出した場合に、ＣＰＵから電源出力を止めるような構成とすればよい。
【００７０】
更に、上記の実施形態では、コネクタが横ざしの場合について説明したが、横ざしだけでなく、縦ざしでも本発明を適用することが可能である。
【００７１】
また、上記の実施形態では、ノート型のパーソナルコンピュータを例にとり説明したが、デスクトップ型のパーソナルコンピュータ、その他ゲーム機器や携帯電話などの他の電子機器にも本発明を適用することができる。
【図面の簡単な説明】
【００７２】
【図１】本発明の一実施形態に係るノート型のパーソナルコンピュータの概念図である。
【図２】本発明の一実施形態に係るＦＰＣと接続するためのマザーボードの接続端子の配置及びマザーボードと接続するためのＦＰＣの接続端子の配置を示した概略的平面図である。
【図３】本発明の一実施形態に係るマザーボード上の接続端子に対してＦＰＣの接続端子を接続するためのコネクタの構成を示す斜視図である。
【図４】図３の断面図である。
【図５】本発明の一実施形態に係るマザーボード上における電源供給系の構成を示すブロック図である。
【図６】マザーボード上の接続端子の列に対してＦＰＣの接続端子の列が半差しされた状態を示す図である。
【図７】マザーボード上の接続端子の列に対してＦＰＣの接続端子の列が半差しされた状態を示す図である。
【図８】本発明の他の実施形態に係るマザーボード上における電源供給系の構成を示すブロック図である。
【図９】本発明の更に別の実施形態に係るマザーボード上における電源供給系の構成を示すブロック図である。
【符号の説明】
【００７３】
１  ノート型のパーソナルコンピュータ
２  本体
６  マザーボード
７  外部とのインターフェース用の基板
８  ＦＰＣ
１２  接続端子
１２Ａ  第１の検出用接続端子
１２Ｂ  第１の接地接続端子
１２Ｃ  第１の電源供給用接続端子
１３  接続端子
１３Ａ  第１の検出用接続端子
１３Ｂ  第１の接地接続端子
１３Ｃ  第１の電源供給用接続端子
１４  コネクタ
１５、１６、１７  ＤＣ／ＤＣコンバータ
１６Ａ、１７Ａ  シャットダウンピン
１８  切断スイッチ
２２  線路
【図１】
2008112642.tif 000003
【図２】
2008112642.tif 000004
【図３】
2008112642.tif 000005
【図４】
2008112642.tif 000006
【図５】
2008112642.tif 000007
【図６】
2008112642.tif 000008
【図７】
2008112642.tif 000009
【図８】
2008112642.tif 000010
【図９】
2008112642.tif 000011